(57)【要約】【課題】人の手が皿などの用品を把持していることを条件として適切に自動吐水できる吐水制御装置を提供する。【解決手段】吐水部１０と、前記吐水部１０の吐水、止水を操作する吐水切替部１２と、前記吐水部１０のまわりの水回り空間の画像を撮像する撮像部１３と、前記画像に用品１９が写っている場合に、前記画像から前記用品１９の情報を検知する用品検知部１４と、前記画像に人の手２１が写っている場合に、前記画像から前記人の手２１の情報を検知する人の手検知部１５と、前記用品の情報及び前記人の手の情報に基づいて、前記人の手２１が前記用品１９を把持している把持状態か、前記人の手２１が前記用品１９を把持していない非把持状態かを判定する判定部１７と、前記判定部１７の判定結果に基づき、前記把持状態では吐水し、前記非把持状態では止水するように前記吐水切替部１２を制御する制御部１８と、を備えている。【選択図】図１
2020197057.tif 000002
【特許請求の範囲】
【請求項１】
吐水部と、
前記吐水部の吐水、止水を切り替える吐水切替部と、
前記吐水部のまわりの水回り空間の画像を撮像する撮像部と、
前記画像に用品が写っている場合に、前記画像から前記用品の情報を検知する用品検知部と、
前記画像に人の手が写っている場合に、前記画像から前記人の手の情報を検知する人の手検知部と、
前記用品の情報及び前記人の手の情報に基づいて、前記人の手が前記用品を把持している把持状態か、前記人の手が前記用品を把持していない非把持状態かを判定する判定部と、
前記判定部の判定結果に基づき、前記把持状態では吐水し、前記非把持状態では止水するように前記吐水切替部を制御する制御部と、
を備えている吐水制御装置。
【請求項２】
前記判定部は、前記用品の情報及び前記人の手の情報に基づいて、前記人の手と前記用品とが所定の位置関係を保って前記吐水部の吐水領域の外側から前記吐水部の吐水領域の内側に入ってきたときには前記把持状態であると判定し、そうでないときには前記非把持状態であると判定する請求項１に記載の吐水制御装置。
【請求項３】
前記用品検知部は、前記画像から前記用品の輪郭を抽出して前記用品の情報を検知する請求項１又は請求項２に記載の吐水制御装置。
【請求項４】
前記人の手検知部は、前記画像から前記人の手の輪郭を抽出して前記人の手の情報を検知する請求項１から請求項３のいずれか一項に記載の吐水制御装置。
【請求項５】
前記判定部は、前記把持状態において前記人の手が洗剤を使っている洗剤使用状態か、前記洗剤を使っていない洗剤不使用状態かを判定し、
前記制御部は、前記洗剤使用状態では止水し、前記洗剤不使用状態では吐水するように前記吐水切替部を制御する請求項１から請求項４のいずれか一項に記載の吐水制御装置。
【発明の詳細な説明】
【技術分野】
【０００１】
本発明は、吐水制御装置に関する。
【背景技術】
【０００２】
従来、人の手や物品をセンシングし、センシングにより検出された人の手や物品の位置情報などから、物品の持ち方を推定し、物品の持ち方からその物品を推定するプログラムが知られている。例えば下記特許文献１に記載されたプログラムは、家庭またはオフィスなどの生活空間にある日用品やオフィス用品などの物品の持ち方からその物品を推定するものである。このプログラムは、物品の持ち方と、物品と人の手との位置関係とが、予めデータベースに登録されている。
【０００３】
ところで、キッチンや洗面化粧台等の水栓ユニットにおいて、人の手が皿などの用品を把持していることを条件として自動吐水するようにしたいという要望がある。このような要望に対し、上記のようなプログラムを用いることが考えられる。
【先行技術文献】
【特許文献】
【０００４】
【特許文献１】国際公開第２０１０／００４７１９号
【発明の概要】
【発明が解決しようとする課題】
【０００５】
しかしながら、上記のようなプログラムにより、人の手が皿などの用品を把持していることを条件として適切に自動吐水することは容易ではない。なぜなら、人の手が皿などの用品を把持していることを条件として自動吐水するためには、例えば皿が置かれただけの場合には吐水しないなど、吐水、止水のタイミングを適切に制御する必要があるからである。上記のようなプログラムでは、そのような制御を行うために必要な用品及び人の手の状態を十分に把握することが困難であった。
【０００６】
本発明は上記のような事情に基づいて完成されたものであって、人の手が皿などの用品を把持していることを条件として適切に自動吐水できる吐水制御装置を提供することを目的とする。
【課題を解決するための手段】
【０００７】
本発明の吐水制御装置は、吐水部と、前記吐水部の吐水、止水を切り替える吐水切替部と、前記吐水部のまわりの水回り空間の画像を撮像する撮像部と、前記画像に用品が写っている場合に、前記画像から前記用品の情報を検知する用品検知部と、前記画像に人の手が写っている場合に、前記画像から前記人の手の情報を検知する人の手検知部と、前記用品の情報及び前記人の手の情報に基づいて、前記人の手が前記用品を把持している把持状態か、前記人の手が前記用品を把持していない非把持状態かを判定する判定部と、前記判定部の判定結果に基づき、前記把持状態では吐水し、前記非把持状態では止水するように前記吐水切替部を制御する制御部と、を備えているものである。
【図面の簡単な説明】
【０００８】
【図１】本実施例における吐水制御装置の構成例を示すブロック図
【図２】人の手が洗剤を使っている洗剤使用状態を例示する図
【図３】吐水制御装置の動作例を示すフローチャート
【図４】判定部の動作例を示すフローチャート
【発明を実施するための形態】
【０００９】
本発明の好ましい形態を以下に示す。  
＜実施例＞
以下、本発明を具体化した一実施例について、図１〜図４を参照しつつ詳細に説明する。
本実施例における吐水制御装置Ｓは、例えばキッチン等の水が使用される場所に設けられる。吐水制御装置Ｓは、図１に示すように、吐水部１０と、吐水切替部１２と、撮像部１３と、吐水切替部１２を制御する切り替え制御部Ｃと、を備えている。切り替え制御部Ｃは、用品検知部１４と、人の手検知部１５と、吐水口検知部１６と、判定部１７と、制御部１８と、を備えている。
【００１０】
吐水切替部１２は、吐水部１０の吐水、止水を切り替える電磁弁である。撮像部１３は、吐水部１０の周囲の水回り空間の画像を撮像する一つのカメラである。用品検知部１４は、画像に用品１９が写っている場合に、画像から用品１９の情報を検知する。人の手検知部１５は、画像に人の手２１が写っている場合に、画像から人の手２１の情報を検知する。吐水口検知部１６は、吐水部１０の位置に基づいて吐水領域Ｔを設定する。判定部１７は、用品１９の情報及び人の手２１の情報に基づいて、人の手２１が用品１９を把持している把持状態か、人の手２１が用品１９を把持していない非把持状態かを判定する。制御部１８は、判定部１７の判定結果に基づき、把持状態では吐水し、非把持状態では止水するように吐水切替部１２を制御する。
【００１１】
吐水部１０は、吐水口を有する吐水管１１を有する。吐水管１１は、例えばキッチンのシンク周辺のカウンタに設置される。
撮像部１３は、キッチンの上方（例えばキッチンの天井や、キャビネットの下面など）に配置されている。撮像部１３は、下方の空間を撮像するように設置される。撮像部１３は、吐水部１０が設置された水回り空間の画像を取得する。水回り空間は、吐水部１０を含む空間であり、シンク等の水回りの設備が設けられた空間である。撮像部１３は、例えばシンクよりも広い領域（シンクとコンロとを含む領域など）を撮像する。撮像部１３は、例えば無線通信回線を介して、撮像した画像の画像情報を用品検知部１４、人の手検知部１５及び吐水口検知部１６に送信する。撮像部１３は、動画像を撮像してもよいし、静止画像を撮像してもよい。また、撮像部１３は、カラー画像を撮像しても良いし、白黒画像を撮像してもよい。
【００１２】
用品検知部１４は、画像に用品１９が写っている場合に、画像から用品１９の輪郭１９Ａを抽出する輪郭抽出部１４Ａを有している。用品１９の輪郭１９Ａは、図１に示すように、用品１９の外縁に沿って形成される輪郭線である。用品１９の輪郭１９Ａは、例えば画像における輝度の差分に基づいてエッジ検出を行うなど、画像から輪郭を抽出する公知の手法によって抽出する。輪郭抽出部１４Ａは、用品１９の輪郭１９Ａのうち人の手２１によって隠れた部分は、図１に示すように、連続するように結んで用品１９の輪郭１９Ａを抽出する。
【００１３】
用品検知部１４は、画像から抽出された用品１９の輪郭１９Ａから、用品１９の大きさや用品１９の位置を検出する。すなわち用品１９の情報は、用品１９の輪郭１９Ａから得られる用品の形状、大きさ又は位置などである。用品検知部１４は、用品１９の位置として例えば用品１９の位置座標を算出する。用品１９の位置座標は、用品１９の輪郭１９Ａの中心付近の位置を示す座標であってもよいし、用品１９の輪郭１９Ａを示す座標群であってもよい。用品検知部１４は、用品１９の情報を判定部１７に出力する。
【００１４】
人の手検知部１５は、画像に人の手２１が写っている場合に、画像に写っている物体から人の手と推測される物体を検出する。それは例えば、予め図示しない記憶部に記憶された手の画像と、撮像部１３により撮像された物体の画像とを比較して行う。記憶部には、予め手を様々な撮影条件（撮像角度や照明等）により撮像した画像を記憶させておく。記憶部に記憶された手の画像と、撮像された物体の画像とが、所定の類似条件を充足する場合に、その物体を人の手２１として検出する。
【００１５】
人の手検知部１５は、画像から人の手２１の枠２１Ａを抽出する枠抽出部１５Ａを有している。枠抽出部１５Ａは、画像から検出した人の手２１に矩形の枠（セル）をあてはめて抽出する。人の手２１の枠２１Ａは、例えば人の手２１から手首までを含む長方形状の枠などであってよい。
【００１６】
人の手検知部１５は、画像から抽出された人の手２１の枠２１Ａから、手の大きさや手の位置を検知する。すなわち人の手２１の情報は、人の手２１の枠２１Ａから得られる手の形状（手を握っている、開いている、手の指が曲がっている、延びているなど）、大きさ又は位置などである。人の手検知部１５は、人の手２１の位置として例えば人の手２１の位置座標を算出する。人の手２１の位置座標は、人の手２１の枠２１Ａのうち人の指が配されると推測される先端部近傍を示す座標であってもよいし、人の手２１の枠２１Ａの全体を示す座標群であってもよい。人の手検知部１５は、人の手２１の情報を判定部１７に出力する。
【００１７】
吐水口検知部１６は、吐水部１０の位置から吐水領域Ｔを設定する。吐水領域Ｔとは、吐水部１０を含む領域であって、吐水部１０の近傍に広がる領域であり、例えば吐水部１０から吐水される（水が落ちる）領域よりもわずかに大きい領域である。吐水口検知部１６は、撮像部１３が撮像した画像から吐水部１０の吐水口の位置を検知し、吐水口を含む領域を吐水領域Ｔとして設定する。吐水口検知部１６は、吐水領域Ｔの設定結果を判定部１７に出力する。
【００１８】
判定部１７は、用品１９の情報、人の手２１の情報及び吐水領域Ｔの設定結果に基づいて、人の手２１が用品１９を把持している把持状態か、人の手２１が用品１９を把持していない非把持状態かを判定する。
【００１９】
判定部１７は、人の手２１と用品１９とが所定の位置関係を保って吐水領域Ｔの外側から吐水領域Ｔの内側に入ってきたときに把持状態であると判定し、そうでないときに非把持状態であると判定する。人の手２１と用品１９とが所定の位置関係にあるときとは、人の手２１が用品１９を把持していると推測される位置関係にあるときである。それは例えば、人の手２１が用品１９の外縁部に接しているときであり、画像の用品１９の輪郭１９Ａに人の手２１の枠２１Ａの先端部が重なっているときである。
【００２０】
用品１９の輪郭１９Ａや人の手２１の枠２１Ａの抽出精度を考慮して、人の手２１が用品１９を把持していると推測される位置関係を設定してもよい。それは例えば、用品１９の輪郭１９Ａや人の手２１の枠２１Ａが実際の用品の輪郭や人の手の輪郭より一回り小さく抽出されるような場合を想定し、用品１９の輪郭１９Ａと人の手２１の枠２１Ａとがわずかに離れていても、用品１９の輪郭１９Ａと人の手２１の枠２１Ａとの距離が所定の距離内であるとき、あるいは用品１９の位置座標と人の手２１の位置座標との距離が所定の距離（人の手２１が用品１９を把持していると推測される距離）であるときを、人の手２１が用品１９を把持していると推測される位置関係と設定してもよい。
【００２１】
人の手２１と用品１９とが吐水領域Ｔの内側に入ってきたとき、とは、使用者が、用品１９に吐水しようとして、用品１９を把持して吐水領域Ｔに持ってきたと推測される程度に、人の手２１または用品１９が吐水領域Ｔ内に位置するとき、である。それは例えば鉛直方向の上側から見て、所定の位置関係にある人の手２１または用品１９の少なくとも一部が吐水領域Ｔと重なる場合を含む。すなわち、人の手２１と用品１９とが吐水領域Ｔの内側に入る、とは、必ずしも所定の位置関係にある人の手２１または用品１９の全体が吐水領域Ｔ内に位置しなくてもよい。この場合、人の手２１と用品１９とが吐水領域Ｔの内側に入っている、というときの人の手２１または用品１９の一部と吐水領域Ｔとが重なる程度は適宜設定できる。人の手２１と用品１９とが吐水領域Ｔの外側に位置するとき、とは、人の手２１及び用品１９が、吐水領域Ｔの内側に入っている、という状態に当てはまらないときである。
【００２２】
判定部１７は、吐水領域Ｔの外側では人の手２１と用品１９とが所定の位置関係になく、吐水領域Ｔの内側で人の手２１と用品１９とが所定の位置関係になった場合は、非把持状態であると判定する。これにより、例えば吐水領域Ｔの内側に用品１９が置かれた状態で、吐水領域Ｔの外側から吐水領域Ｔの内側に人の手２１が入り、用品１９と人の手２１との位置関係が所定の位置関係になった場合は、判定部１７は非把持状態であると判定する。
【００２３】
判定部１７は、把持状態において人の手２１が洗剤を使っている洗剤使用状態か、洗剤を使っていない洗剤不使用状態かを判定する。この判定は、用品１９の情報及び人の手２１の情報に基づいてなされる。洗剤を使っている人の手２１は、図２に示すように、用品１９を把持している方の手２１が用品１９の外縁部に接し、スポンジ等を把持している方の手２１が用品１９の中央部に接すると推測される。よって、判定部１７は、一方の人の手２１と用品１９とが把持状態と想定される位置関係にあり、他方の人の手２１の枠２１Ａの先端部が用品１９の輪郭１９Ａに囲まれた領域の中央付近に重なっているときや、他方の人の手２１の先端部の位置座標が用品１９の中心の位置座標に近い位置にあるときなどに洗剤使用状態であると判定し、そうでないときに洗剤不使用状態であると判定する。
【００２４】
制御部１８は、判定部１７の判定結果に基づいて、把持状態における洗剤不使用状態では、吐水部１０が吐水するように吐水切替部１２を制御（電磁弁を開弁）し、把持状態における洗剤使用状態、及び非把持状態では吐水部１０が吐水しないように吐水切替部１２を制御（電磁弁を閉弁状態に維持）する。
【００２５】
次に、本実施例における吐水制御装置Ｓの動作を図３を参照して説明する。
まず、撮像部１３が、水回り空間の画像を撮像する（ステップＳ１００）。
次に、用品検知部１４が、画像から用品１９の輪郭１９Ａを抽出して用品１９の情報を検知する（ステップＳ１０１）。また、人の手検知部１５が、画像から人の手２１の枠２１Ａを抽出して人の手２１の情報を検知する（ステップＳ１０２）。吐水口検知部１６は、画像から吐水口を抽出して吐水領域Ｔを設定する（ステップＳ１０３）。なお、ステップＳ１０１、Ｓ１０２、及びステップＳ１０３を行う順序は変更してもよい。
【００２６】
判定部１７は、用品検知部１４により検知された用品１９の情報、人の手検知部１５により検知された人の手２１の情報、及び吐水口検知部１６により設定された吐水領域Ｔに基づいて、人の手２１が用品１９を把持している把持状態か、人の手２１が用品１９を把持していない非把持状態かを判定する（ステップＳ１０４）。判定部１７の動作は後ほど説明する。
【００２７】
判定部１７の判定結果が、非把持状態である場合、制御部１８は吐水部１０の止水を維持するように吐水切替部１２を制御する（ステップＳ１０５）。
判定部１７の判定結果が、把持状態である場合、制御部１８は吐水切替部１２を制御して吐水部１０を吐水する（ステップＳ１０６）。
【００２８】
次に、本実施例における判定部１７の動作の一例を図４を参照して説明する。
まず、判定部１７は、用品１９と人の手２１とが所定の位置関係にあるか否かを判定する（ステップＳ２００）。判定部１７が、用品１９と人の手２１とは所定の位置関係にないと判定した場合、非把持状態であると判定する（ステップＳ２０１）。
【００２９】
判定部１７が、用品１９と人の手２１とが所定の位置関係にあると判定した場合、用品１９と人の手２１とが吐水領域Ｔ内に位置するか否かを判定する（ステップＳ２０２）。判定部１７は、用品１９と人の手２１とが吐水領域Ｔ内に位置しないと判定した場合、非把持状態であると判定する（ステップＳ２０１）。判定部１７が、用品１９と人の手２１とが吐水領域Ｔ内に位置すると判定した場合、人の手２１と用品１９とが所定の位置関係を保って吐水領域Ｔの外から吐水領域Ｔ内に入ってきたか否かを判定する（ステップＳ２０３）。判定部１７は、人の手２１と用品１９とが所定の位置関係を保って吐水領域Ｔの外から吐水領域Ｔ内に入っていないと判定した場合、非把持状態であると判定する（ステップＳ２０１）。
【００３０】
判定部１７は、人の手２１と用品１９とが所定の位置関係を保って吐水領域Ｔの外から吐水領域Ｔ内に入ってきたと判定した場合、把持状態であると判定する（ステップＳ２０４）。
【００３１】
次に、上記のように構成された実施例の作用および効果について説明する。
本実施例の吐水制御装置Ｓは、吐水部１０と、吐水切替部１２と、撮像部１３と、用品検知部１４と、人の手検知部１５と、判定部１７と、制御部１８と、を備えている。吐水切替部１２は、吐水部１０の吐水、止水を切り替える。撮像部１３は、吐水部１０のまわりの水回り空間の画像を撮像する。用品検知部１４は、画像に用品１９が写っている場合に、画像から用品１９の情報を検知する。人の手検知部１５は、画像に人の手２１が写っている場合に、画像から人の手２１の情報を検知する。判定部１７は、用品１９の情報及び人の手２１の情報に基づいて、人の手２１が用品１９を把持している把持状態か、人の手２１が用品１９を把持していない非把持状態かを判定する。制御部１８は、判定部１７の判定結果に基づき、把持状態では吐水し、非把持状態では止水するように吐水切替部１２を制御する。この構成によれば、人の手２１が用品１９を把持しているときには自動的に吐水し、人の手２１が用品１９を把持していないときには自動的に止水される。すなわち、シンク等に置いた皿などの用品１９への誤吐水を防止でき、人の手２１が用品１９を把持していることを条件として適切に自動吐水できる。
【００３２】
また、判定部１７は、用品１９の情報及び人の手２１の情報に基づいて、人の手２１と用品１９とが所定の位置関係を保って吐水領域Ｔの外側から吐水領域Ｔの内側に入ってきたときには把持状態であると判定し、そうでないときには非把持状態であると判定する。この構成によれば、例えば水回り空間に用品１９が置かれている状態で、水回り空間に入ってきた人の手２１が用品１９に接近しても、それを把持状態と判定しないから、把持状態と非把持状態とを正確に判定できる。
【００３３】
また、用品検知部１４は、画像から用品１９の輪郭１９Ａを抽出して用品１９の情報を検知する。この構成によれば、例えば用品１９を大まかなフレーム等によって画像から抽出するよりも実態に近い情報を得ることができるから、把持状態と非把持状態とをより正確に判定できる。
【００３４】
また、判定部１７は、把持状態において人の手２１が洗剤を使っている洗剤使用状態か、洗剤を使っていない洗剤不使用状態かを判定する。制御部１８は、洗剤使用状態では止水し、洗剤不使用状態では吐水するように吐水切替部１２を制御する。この構成によれば、洗剤使用状態では自動吐水されないから、洗剤が自動吐水で流れてしまうことを防ぐことができる。
【００３５】
＜他の実施例＞
本発明は上記記述及び図面によって説明した実施例に限定されるものではなく、例えば次のような実施例も本発明の技術的範囲に含まれる。
（１）上記実施例では、吐水口検知部１６が吐水部１０の位置から吐水領域Ｔを設定するが、これに限らず、例えば吐水部が移動せず、吐水口の位置が固定されている場合などには、吐水部の位置及び所定領域は予め記憶（登録）しておいてもよい。
（２）上記実施例では、吐水口検知部１６が画像から吐水部１０の位置を抽出するが、これに限らず、吐水口検知部は、例えば吐水管が長尺方向の一端側を中心に回転するものである場合には、吐水管の回転角度に基づいて吐水口の位置を検出してもよい。
（３）上記実施例では、人の手検知部１５が画像から人の手２１の枠２１Ａを抽出して人の手２１の情報を検知するが、これに限らず、人の手検知部は人の手の輪郭（枠よりも人の手の外郭に細かく正確に沿う線）を抽出して人の手の情報を検知してもよい。これにより、人の手の情報を大まかな枠で抽出するよりも実態に近い情報を得ることができるから、把持状態と非把持状態とをより正確に判定できる。
（４）上記実施例では、用品検知部１４が画像から用品１９の輪郭１９Ａを抽出して用品１９の情報を検知するが、これに限らず、用品検知部は画像から用品の大まかな枠を抽出して用品の情報を検知してもよい。
（５）上記実施例では、判定部１７が、人の手２１と用品１９とが所定の位置関係を保って吐水領域Ｔの外側から吐水領域Ｔの内側に入ってきたときに把持状態であると判定し、そうでないときに非把持状態であると判定するが、これに限らず、判定部は、人の手と用品とが吐水領域の外側から所定の位置関係を保っていたか否かにかかわらず、人の手と用品とが所定の位置関係を保っている場合は常に把持状態と判定するようにしてもよい。
【符号の説明】
【００３６】
Ｓ…吐水制御装置
Ｔ…吐水領域
１０…吐水部
１２…吐水切替部
１３…撮像部
１４…用品検知部
１５…人の手検知部
１７…判定部
１８…制御部
１９…用品
１９Ａ…用品の輪郭
２１…人の手
【図１】
2020197057.tif 000003
【図２】
2020197057.tif 000004
【図３】
2020197057.tif 000005
【図４】
2020197057.tif 000006